(57)【要約】身体の一部の上に圧迫力をかけるために前記身体の一部の上に少なくとも部分的に巻きつけられることを目的とした身体圧迫装置（２）であって、前記装置は、ループ領域（１０）上に配置される複数のループ（１１）と、引っ掛け表面（２０）上に配置される複数のフック（２１）とを有する、ループおよびフックを用いる固定システム（３）を含み、前記引っ掛け表面（２０）は、弾性であり、また次の少なくとも２つの状態を取り入れうる：−延伸されておらず、フック（２１）が互いにすぐ近くにある第１の状態、および、−前記引っ掛け表面（２０）がかなり延伸されており、ループ領域（１０）のループ（１１）との引っ掛かりを可能にしている第２の状態。【選択図】図１ｃ
2021504091.tif 000002
【特許請求の範囲】
【請求項１】
身体圧迫装置（２）であって、身体の一部および／または肢の上に圧迫力をかけるために前記身体の一部および／または前記肢の上に少なくとも部分的に巻きつけられることを目的とし、前記装置が、ループ領域（１０）上に配置される複数のループ（１１）と、引っ掛け表面（２０）上に配置される複数のフック（２１）とを有する、ループおよびフックを用いる固定システム（３）を含む身体圧迫装置であって、前記引っ掛け表面（２０）が、弾性であり、またおよび以下の少なくとも２つの異なる状態、
−第１の状態であって、該状態において、前記引っ掛け表面（２０）は延伸されておらず、また利用される弾性織物の非常に細かい織りは、非常に密度が高く、かつとりわけ互いに非常に接近したフック範囲を形成しており、その結果、フックは一斉に交差し、また互いの中に密接に絡み合っており、ループ領域（１０）のループ（１１）との引っ掛かりを妨げている、および
−第２の状態であって、該状態において、前記引っ掛け表面（２０）は延伸されており、またフック（２１）は間隔が空いていて、したがって互いに密接に絡み合っておらず、フックを機能的なものにし、またループ領域（１０）のループ（１１）との引っ掛かりを可能にしている、
を取り入れうることを特徴とする身体圧迫装置。
【請求項２】
装置が、第１の面（４）と第２の面（５）とを含む織物（１）製の少なくとも１つの部分を含み、少なくとも１つのループ領域（１０）が織物の前記第１の面（４）に配置され、また少なくとも１つの引っ掛け表面（２０）が織物の前記第２の面（５）に配置されることを特徴とする、請求項１に記載の身体圧迫装置（２）。
【請求項３】
前記引っ掛け表面（２０）がモノエラスティックであり、弾性方向が、前記身体の一部上の装置の巻付軸にほぼ相当する、請求項１または２に記載の身体圧迫装置（２）。
【請求項４】
引っ掛け表面（２０）およびループ領域（１０）が、同じタイプの織物で作製される、請求項１から３のいずれか一つに記載の身体圧迫装置（２）。
【請求項５】
治療すべき身体の一部または肢の上に分配される圧迫力をかけるために提供される圧迫用活性部分（６）を含む、請求項１から４のいずれか一つに記載の身体圧迫装置（２）。
【請求項６】
前記圧迫用活性部分（６）および固定システム（３）が、同じ織物を用いて作製される、請求項５に記載の身体圧迫装置（２）。
【請求項７】
固定システム（３）が、活性部分（６）と一体化されて形成される、請求項５または６に記載の身体圧迫装置（２）。
【請求項８】
活性部分（６）が、固定システム（３）を構成する織物（１）とは異なる織物または材料で構成される、請求項５に記載の身体圧迫装置（２）。
【請求項９】
装置が固定／圧迫バンドである、請求項１から８のいずれか一つに記載の身体圧迫装置（２）。
【請求項１０】
装置が固定／圧迫補装具である、請求項１から８のいずれか一つに記載の身体圧迫装置（２）。
【請求項１１】
引っ掛け表面（２０）の潜在延伸率が、２５％と１００％との間に含まれ、またより好ましくは３０％と７５％との間、またさらにより好ましくは３０％と５０％との間に含まれる、請求項１から１０のいずれか一つに記載の身体圧迫装置（２）。
【請求項１２】
引っ掛け表面（２０）が、引っ掛け表面（２０）に加工されたループ領域（１０）で構成される、請求項１から１１のいずれか一つに記載の身体圧迫装置（２）。
【発明の詳細な説明】
【技術分野】
【０００１】
本発明は、身体の一部および／または肢の上に圧迫力をかけるために、前記身体の一部および／または前記肢の上に少なくとも部分的に巻きつけられることを目的とした身体圧迫装置に関するものであり、前記装置は、ループ領域上に配置される複数のループおよび引っ掛け表面上に配置される多数のフックを有する、ループおよびフックを用いた固定システムを含む。
【背景技術】
【０００２】
弾性の身体装置、例えばバンドおよび／または補装具は主として、とりわけ浮腫、リンパ浮腫などをもたらし、また固定／圧迫による治療を必要とする静脈・リンパ管疾患を治療するために利用される。医療処方を最もよく順守するために、締付けレベルは、治療すべき領域の圧迫を可能にするのに十分でなければならない。ところが実際には、患者が不確実な仕方で、非常に変わりやすい締付けレベルを伴って装置を押しあて、しばしば治療を、効果のあまりない、または効果のないものにしてしまうことが確認されている。
【０００３】
治療が圧迫用ストッキングまたは圧迫用靴下によって行われるとき、得られる締付け効果は、靴下のサイズおよび編み布地の弾性に起因するものであり、利用者の靴下のはき方に依るものではない。一方、医療用バンドは、着用者または看護者が、ある圧力を加えながらバンドを巻きつけて、取り付けなければならない。とりわけ長さの長いバンドについて、加えられる圧力が不十分かつ／または不規則であることがよくある。
【０００４】
また、自分の腕の一方にバンドを取り付ける患者は、バンドを正確に押しあてるのにかなり苦労し得る。そのうえ、腕にバンドを取り付ける際に、バンドの締付け、巻きつけおよび留めを同時に行うことはしばしば困難である。
【０００５】
多くの例が、信頼でき、実用的で費用のあまりかからない装置に到達するために繰り返された努力を示している。まず、少なくとも１つの「ループおよびフック」領域を有する延伸織物が知られている。
【０００６】
例えば仏国特許発明第１２６３３９１号明細書は、人体の周りに巻きつけられることを目的とした、弾性織物製の固定バンドを記述している。バンドは、定められた取付け場所にその自由端を固定すること、およびバンドを損傷するリスクのない手段を利用することによって、固定度を変えることができるように作製される。バンドは、特殊な織物製、とりわけ「Ｖｅｌｃｒｏ」の名称で商業界において知られている織物製の横手方向の棒状部分を少なくとも１つ備えており、その毛足は、前記バンドの他方の面に固定される毛のたくさん生えた織物の棒状部分において選択的に引っ掛かることができるように、その端がフックの形に曲がっている。この引っ掛け装置は、引っ掛けのための予め決められた領域を順守することを利用者に余儀なくさせるように見受けられ、このことは引っ掛け、またしたがって締付けのその自由を制限する。
【０００７】
仏国特許出願公開第２８０６９０４号明細書は、肢の側面に向けられるバンドの面上に位置する、ループおよびフック式織物タイプの、しっかりつかむ横手方向の薄くて細長い部分を、巻きつけ方向におけるその自由端に含む、肢にバンドを巻くことを目的とした弾性バンドを記述している。このバンドは、肢の外側の方に向けられるその面上に、端の薄くて細長い部分と相補的な、ループおよびフック式織物タイプの、しっかりつかむ受け用の横手方向の薄くて細長い部分を少なくとも２つ備えており、該受け用の薄くて細長い部分は、バンドが利用圧力を受けるとき、バンドの端から最も近い近位の受け用の薄くて細長い部分が、バンドをすべき最も細い肢の周囲の長さ以下である端からの距離のところに位置するように位置決めされ、またバンドの端から最も遠い遠位の受け用の薄くて細長い部分が、バンドをすべき最も厚い肢の周囲の長さ以上であるバンドの端からの距離のところに位置するように位置決めされる。バンドは、多くの患者に合うことができるが、しかしながら、薄くて細長い部分によるその引っ掛けシステムは、上述の同じ不都合を有するように思われる。また、いかなる手段も、肢の周りのバンドの適切な締付けレベルを確かめることを可能にせず、このことは、弱すぎる締付けが原因で効き目のないバンドをもたらし得る。
【０００８】
欧州特許出願公開第２２５０９８１号明細書は、遠位端および近位端、遠位表面および近位表面によって特徴づけられる伸ばされた形の弾性織物製の腕当てを含む医療用多目的商品を記述しており、該商品において、近位表面の少なくとも一部は外側の方へ、第１のタイプのテクスチャード加工された表面を備え、吸収パッチが帯の近位表面に固定されて間にポケットを形成し、ハンドピースが帯の近位端に留められ、遠位表面の少なくとも一部は外側の方へ、別の種類のテクスチャード加工された表面を備え、また近位表面の少なくとも一部は外側の方へ、第三のタイプのテクスチャード加工された表面をその近位端に備えている。第１の種類のテクスチャード加工された表面と第２の種類のテクスチャード加工された表面は、互いを用いた物理的付加によって自己接着して自己接着硬化を形成し、また第三のタイプのテクスチャード加工された表面は、帯の近位表面におよび／またはそこに隣接した吸収板の外側表面に自己接着するその能力によって特徴づけられる。このシステムは、正確な締付けレベルを得ることを可能にするようには見受けられない。
【０００９】
「ループおよびフック」タイプの固定は、バンドを固定するために医療分野において非常に利用されている。いくつかの固定具は、製造の複雑さおよび高い費用にもかかわらず、成型フックを利用する。
【００１０】
例えば国際公開第０１／６８０１９号は、シートの形の固定用テープから作製される伸張固定具を記述しており、シートの形の固定用テープは、帯状に切り分けられ、帯は、長手方向に配置され、かつ横手方向に互いに分離される。間隔の空けられた帯は、平織物の形の弾性ボイルの上に固定されて、伸張固定具となる。いくつかのケースにおいて、伸張固定具は、シートタイプの固定用帯と同時に連続して形成される。成型フックは、常に実用に供しうるように互いにしっかりと分離されている。しかしながら、この織物の設計は複雑でかつ費用がかかるように思われる。さらに、このシステムは、正確な締付けレベルを得ることを可能にするようには見受けられない。
【００１１】
「ループおよびフック」留め具のいくつかのフックは、一般に正確な場所に、延伸材料を用いて提供される。
【００１２】
例えば米国特許出願公開第２００２／０２２１０８号明細書は、自由領域によって互いの間で分離された成型フックを有する固定システムを記述している。成型は、硬い成形型によって実現される。弾力的に伸張できるまたは柔軟な同形製品の形成を容易にするために、固定用構成要素の帯は、製造機械に向かって広がる。この引っ掛けシステムは効果的なように思われるが、しかしながら、その製造は複雑でかつ費用がかかるようである。さらにこのシステムは、正確な締付けレベルを得ることを可能にするようには見受けられない。
【００１３】
おむつの分野において、いくつかの「ループおよびフック」引っ掛けシステムは、効果的な保持のためにサイズを調整することができるように、伸張できるループを備えている。
【００１４】
例えば米国特許出願公開第２０１１／１５２８１９号明細書は、おむつの側部に配置されるエラストマー製の連結用タブを少なくとも１つ含む、おむつの固定システムを記述している。連結用の薄くて細長い部分は、エラストマー拡張領域を含む接合された部分を有する。エラストマー拡張領域は、多数のアコーディオンプリーツとプリーツの下に配置されるエラストマー糸のジグザグ網とを伴う繊維材料製の非弾性ステッチ基材を含む。ジグザグ網は、縫い合わせ基材に、連結用の薄くて細長い部分の長さ寸法における収縮力を加えるように適合している。この引っ掛けシステムは効果的であるが、しかし正確な締付けレベルを得ることを可能にするようには見受けられない。さらに、その設計は複雑と思われる。
【００１５】
国際公開第２０１７／０２７８３０号は、延伸ループ材料のはぎ布を少なくとも１つ含む下着を記述している。延伸ループ材料のはぎ布は、はぎ布が着用者のウエストまたはヒップの横面の周りで延伸することができるように、下着の本体に結ばれている。延伸ループ材料は、材料が多数の保持要素に取り外し可能につながることができるように構成される。保持要素は、ループとフック式留め具システムのフックであり得る。下着は、下着が衣服の下に容易に隠されることができるように、ならびに着用者によって容易に位置決めおよび脱ぐことができるように構成される。下着を配置するための方法は、下着の本体を巻くもしくは折ること、そして延伸ループ材料のはぎ布間の巻かれたまたは折られた部分を包み込むように、巻かれたまたは折られた部分の周りに延伸ループ材料のはぎ布を留めることにある。このシステムは、快適かつ効果的であるようだが、しかしながら正確な締付けレベルを得ることを可能にするようには見受けられない。
【００１６】
いくつかの引っ掛けシステムは、最大限の延伸性を得ることを目ざすものであり、かつ弾性織物を利用する。
【００１７】
例えば国際公開第２００５／００４７７８号は、フック要素とリング要素とを含む、リングおよびフックによる留め具を記述している。フック要素は、フック支持体と、前記フック支持体の上に広がる多数のフックとを含む。このフック支持体は、伸張材料を含む。リング要素は、リング支持体と、前記支持体の上に広がる多数のリングとを含む。このリング支持体もまた伸張材料を含む。この引っ掛けシステムは良好な弾性率を伴い、効果的かつ快適であるようだが、しかしながら、その構想は複雑でかつ費用がかかるように思われる。さらにこのシステムは、正確な締付けレベルを得ることを可能にするようには見受けられない。
【００１８】
最後に米国特許出願公開第２００５／０１３２５４３号明細書は、ループまたはフックを備えた領域の間に入れられる、さらに高くなった領域を含む織物を記述している。当該領域は広げられるが、弾性ではない。
【００１９】
装置のこれらのさまざまな例の全てが、与えられる締付けが期待される恩恵を得るのに十分であることを確かめつつ、圧迫バンドの取付けを容易にすることを可能にする解決案の必要性が存在することを示している。
これらのさまざまな不都合を軽減するために、本発明は、さまざまな技術手段を提供する。
【先行技術文献】
【特許文献】
【００２０】
【特許文献１】仏国特許発明第１２６３３９１号明細書
【特許文献２】仏国特許出願公開第２８０６９０４号明細書
【特許文献３】欧州特許出願公開第２２５０９８１号明細書
【特許文献４】国際公開第０１／６８０１９号
【特許文献５】米国特許出願公開第２００２／０２２１０８号明細書
【特許文献６】米国特許出願公開第２０１１／１５２８１９号明細書
【特許文献７】国際公開第２０１７／０２７８３０号
【特許文献８】国際公開第２００５／００４７７８号
【特許文献９】米国特許出願公開第２００５／０１３２５４３号明細書
【発明の概要】
【発明が解決しようとする課題】
【００２１】
まず初めに、本発明の第１の目的は、高性能かつエルゴノミックな圧迫装置を提供することにある。
【００２２】
本発明の別の目的は、簡単に製造できかつ費用のあまりかからない圧迫装置を提供することにある。
【００２３】
本発明のさらに別の目的は、締付けレベルの調節を改善することを可能にする圧迫装置を提供することにある。
【００２４】
本発明のさらに別の目的は、利用者の快適さを増すことを可能にする圧迫装置を提供することにある。
【００２５】
最後に本発明の別の目的は、熟練者によるにしても未熟者によるにしても取り付けるのが簡単な圧迫装置を提供することにある。
【課題を解決するための手段】
【００２６】
そうするために本発明は、身体の一部および／または肢の上に圧迫力をかけるために前記身体の一部および／または前記肢の上に少なくとも部分的に巻きつけられることを目的とした身体圧迫装置を提供し、前記装置は、ループ領域上に配置される複数のループと、引っ掛け表面上に配置される複数のフックとを有する、ループおよびフックを用いる固定システムを含み、前記引っ掛け表面は弾性であり、また以下の少なくとも２つの異なる状態を取り入れうる。
−第１の状態であって、該状態において、前記引っ掛け表面は延伸されておらず、また利用される弾性織物の非常に細かい織りは、非常に密度が高く、かつとりわけ互いに非常に接近したフック範囲を形成しており、その結果、フックは一斉に交差し、また互いの中に密接に絡み合っており、ループ領域のループとの引っ掛かりを妨げている、および
−第２の状態であって、該状態において、前記引っ掛け表面は延伸されており、またフックは間隔が空いていて、したがって互いに密接に絡み合っておらず、フックを機能的なものにし、またループ領域のループとの引っ掛かりを可能にしている。
【００２７】
いわゆる結合するタイプの装置は、そのような構造にしたがって、治療すべき身体の部分に応じて、例えば患者の身体の一部または肢の上に巻きつけられることができる。引っ掛け表面の延伸されていない状態において、ループとフックとの間の協働はあまり有効でない、または有効ではなく、一方、引っ掛け表面のかなり延伸された状態において、ループとフックとの間の協働は、有効であり、引っ掛けを機能的かつ効果的なものにする。実際に、延伸されていない状態において、フックは、フック間で密接に絡み合っており、よって実用に供しえない、またはほとんど実用に供しえない。逆に、延伸された状態において、引っ掛け表面は伸ばされており、このことはフックを互いに密接に絡み合わないことを可能にする。フックのこの配置は、引っ掛け表面の面積の拡大によって可能になる。フックはしたがって互いから離れており、よって引っ掛けシステムは実用に供しうるものとなる。構造は、締付け力が治療作用をもたらすのに十分であることを確かめることを可能にする。さらに、締付け力は、バンドまたは補装具の長さ全体にわたってきちんと分配される。
【００２８】
有利な一実施形態によると、装置は、第１の面と第２の面とを含む織物製の少なくとも１つの部分を含み、該装置は、少なくとも１つのループ領域が織物の前記第１の面に配置され、また少なくとも１つの引っ掛け表面が織物の前記第２の面に配置されることを特徴とする。
【００２９】
装置の利用を容易にするために、面のうちの１つへのループの配置、および他方の面へのフックの配置は、単純な巻きつけおよび引っ掛けを可能にする。設計および製品化の過程もまた単純化される。
【００３０】
別の有利な一実施形態によると、引っ掛け表面はモノエラスティック（ｍｏｎｏ−ｅｌａｓｔｉｃ）であり、弾性方向は、前記身体の一部上の装置の巻付軸にほぼ相当する。
【００３１】
変形例において、引っ掛け表面はビエラステッィック（ｂｉ−ｅｌａｓｔｉｃ）である。
【００３２】
バンドが十分な力を伴って巻きつけられない場合、引っ掛け表面は、延伸されていない状態にあり、固定を不可能にする。このことは、あまり効果的でない、または効果的ではない、圧力なくして取り付けられる圧迫装置をもたらすことを回避することを可能にする。逆に、適切な締付けは、引っ掛け領域が延伸位置にあることを可能にし、したがってフックを解放し、かつ装置の固定を可能にする。正規の締付けレベルは、バンドまたは補装具が、治療すべき肢の圧迫を可能にするのに十分な締付けレベルを伴って巻きつけられることを保証する。
【００３３】
有利には、引っ掛け表面およびループ領域は、同じタイプの織物で作製される。
【００３４】
この利用形態は、とりわけ単純かつ経済的であり、また患者の皮膚および他の繊維に有害な作用を及ぼすことはあまりない。
【００３５】
やはり有利には、身体装置は、治療すべき身体の一部または肢の上に分配される圧迫力をかけるために提供される圧迫用活性部分を含む。
【００３６】
有利な一実施形態によると、前記活性部分および固定システムは、同じ織物を用いて作製される。
【００３７】
このように、単一部品で、単純で、美しく、とりわけ効果的な身体装置が構成される。
【００３８】
別の有利な一実施形態によると、固定システムは、活性部分と一体化されて形成される。
【００３９】
このように得られる連続性は、快適かつエルゴノミックな製品をもたらす。
【００４０】
有利には、活性部分は、固定システムを構成する織物とは異なる織物または材料で構成される。
【００４１】
有利な一実施形態によると、装置は、固定／圧迫バンドである。
【００４２】
別の有利な一実施形態によると、装置は、固定／圧迫補装具である。
【００４３】
有利には、引っ掛け表面（２０）の潜在延伸率は、２５％と１００％との間に含まれ、またより好ましくは３０％と７５％との間、またさらにより好ましくは３０％と５０％との間に含まれる。
【００４４】
さらに別の有利な一実施形態によると、引っ掛け表面は、例えば多数のループへのレーザーアタックによって、引っ掛け表面に加工されたループ領域で構成される。
このタイプの利用は、製品化の過程が、とりわけ製品が単一かつ同一の織物を用いて利用されるとき、大いに単純化される、単純な設計の製品を実現することを可能にする。
【００４５】
全ての実施詳細は、以下のような、単に非制限例を目的として示される図１ａから図８ｂによって補完される、以下の説明中で示される。
【図面の簡単な説明】
【００４６】
【図１ａ】織物の一例を示している概略図であって、織物はループ領域を有している。
【図１ｂ】織物の一例を示している概略図であって、そのループ領域の１つは引っ掛け表面を生成することを可能にする。
【図１ｃ】織物の一例を示している概略図であって、引っ掛け表面は延伸されていない形態で示される。
【図１ｄ】織物の一例を示している概略図であって、引っ掛け表面は延伸された形態で示される。
【図２ａ】圧迫装置の一例の面を概略的に示している。
【図２ｂ】圧迫装置の一例の面を概略的に示している。
【図３】固定バンドタイプの圧迫装置の実施変形例を示している概略図である。
【図４ａ】固定バンドタイプの圧迫装置の実施変形例を示している概略図である。
【図４ｂ】固定バンドタイプの圧迫装置の実施変形例を示している概略図である。
【図４ｃ】固定バンドタイプの圧迫装置の実施変形例を示している概略図である。
【図４ｄ】固定バンドタイプの圧迫装置の実施変形例を示している概略図である。
【図４ｅ】固定バンドタイプの圧迫装置の実施変形例を示している概略図である。
【図５】固定バンドタイプの圧迫装置の実施変形例を示している概略図である。
【図６ａ】固定補装具タイプの圧迫装置の実施例を示している概略図である。
【図６ｂ】固定補装具タイプの圧迫装置の実施例を示している概略図である。
【図７ａ】固定補装具タイプの圧迫装置の実施例を示している概略図である。
【図７ｂ】固定補装具タイプの圧迫装置の実施例を示している概略図である。
【図８ａ】固定補装具タイプの圧迫装置の実施例を示している概略図である。
【図８ｂ】固定補装具タイプの圧迫装置の実施例を示している概略図である。
【発明を実施するための形態】
【００４７】
［発明の詳細な説明］
ループおよびフックを用いた固定システムの利用例
図１ａから図１ｄは、図２から図８ｂと関連して記述される圧迫装置において利用されるループおよびフック式固定システム３の利用例を、その面のうちのそれぞれにループ領域１０を最初に有する弾性織物１の一例から概略的に示している。
【００４８】
織物１は、その最初の状態において、図１ａに示されているように、ループ領域１０において形成されている多数のループ１１を各側に含んでいる。
【００４９】
図１ｂは、引っ掛け領域２０を得るために上面のループ領域１０に行われた加工を概略的に示している。ループ１１を形成する糸は、ループをフック２１に少なくとも部分的に加工するために、例えばレーザーアタックを使って処理される。織物上に施される処理は、弾性織物のループの少なくとも一部分が変更されることを可能にする。ループは例えば、少なくとも２つの部分に切断され、ループのとどまっている部分は織物の緯糸に固定されたままであり、そしてループはフック２１を形成する。処理は、フックの傾いたまたは折り曲げられた端部を得ることを可能にする。
【００５０】
利用される弾性織物の非常に細かい織りは、非常に密度が高く、かつとりわけ互いに非常に接近したフックの「範囲」の獲得を可能にし、その結果、フックは一斉に交差している。延伸されていない形態に相当するこのような形状において、フックは、潜在的なループを捕らえるのにあまり効果的でない、または効果的ではない。図１ｃは、延伸されていない状態の引っ掛け表面２０上に分配されたフック２１の配置例を示している。
【００５１】
織物１は、少なくとも長手方向に延伸できる。この特徴は、図１ｄで示されているように、引っ掛け表面２０が延伸された状態にあるとき、フック２１の間隔を空けること、またしたがってフックを互いに密接に絡み合わないことを可能にする。この状態において、フックは、機能的または効果的であり、よって潜在的なループをつかむまたは捕らえることができる。フックの良好な動作に有利に働くための引っ掛け表面の延伸レベルは、有利には３０％超であり、またより好ましくは３０％と５０％との間に含まれる。
【００５２】
固定システム３はこのように、固定システムが、システムを構成する織物の弾性に本質的に結びついた、２つの異なる状態を有するという点において注目すべきである。
【００５３】
このシステムはまた、とりわけ高い固定レベルをもたらす、というのも、いったんループがフックの中に引っ掛けられると（延伸した形態）、織物はつぎに、ほぼ延伸されていない状態を取り戻すために緩められるからである。この状態において、フックは再び互いに接近し、したがってフックの一種のロッキングを作り出していて、ループとフックとの分離を、より困難なものにし、また「比較的大きな」分離応力（？）を用いて実現可能にする。ループとフックを離すために、引っ掛け表面は好ましくは延伸される。この予防策は、ループとフックとの分離を容易にすることを可能にし、またループおよびフックを早すぎる損傷から守る。
【００５４】
また、フックの高密度およびランダムなそれらの配置は、固定システム３の引っ掛けを最大限に最適化することを可能にする。
【００５５】
ループおよびフックを用いた固定システムを利用する製品の第１の例：固定／圧迫バンド
図２ａから図５は、固定バンド２の例を概略的に示しており、該固定バンドは、予め記述された固定システム３を実現するために図１ａから図１ｄで利用される織物と同様の織物１を用いて作製される部分を少なくとも含んでいる。
【００５６】
身体装置２は、２つの面４および５を含む織物１製部分を少なくとも１つ含む。ループ領域１０は、図２ａに概略的に示されている第１の面４の上に配置される。引っ掛け表面２０は、図２ｂに概略的に示されている第２の面５の上に配置される。
【００５７】
そうすれば、固定バンドの巻きつけはとりわけ容易である、というのも、引っ掛け表面２０の自由端がループ領域１０上に至る場所はどこでもよく、引っ掛けが可能であるからである。この実施形態を用いると実際に、ループ領域１０のループ１１上に固定することができるフック２１の配置を可能にするために、引っ掛け表面２０が延伸されてさえいれば、第２の面５の全ての部分が、第１の面４のどの部分にも固定されることができる。
【００５８】
この特徴はまた、例えば利用者が巻きつけの際にバンドを部分的に重ねるとき、固定バンドの長さ全体にわたって連続して固定システム３があることを可能にする。
【００５９】
例えば静脈循環不良および／またはリンパ循環不良のような症状を効果的に治療するために、固定バンドは、十分な締付けレベルを伴って押しあてられなければならず、また、もし可能であればバンドの長さ全体にわたって一様に押しあてられなければならない。固定システム３は、その２つの状態のおかげで、不十分な締付けを回避することを可能にする、というのも、引っ掛け表面２０は、フック２１がループ１１をつかみ、したがって装置をしかるべき場所に保持することができるように延伸されなければならないからである。
【００６０】
図３は、固定バンド２の別の例を概略的に示している。この例において固定システム３は、バンドの自由端のところに配置される引っ掛け表面２０を用いて形作られている。バンドの残りの部分は、図３で示されているように、ループ領域１０で構成されている。この形状は、利用者が、ループ領域１０のどこにでもバンドを固定することを可能にする。装置はしたがって、全ての体形に、またおよび治療すべき身体部分のほとんど全てに適合される。
【００６１】
図４ａの実施例において、ループ領域１０および引っ掛け表面２０は、バンドに沿って交互に配置されている。この形状は、より良く保持するために引っ掛け区域を増やすことを、だからといってフック２１だけで作られる表面を有することなく、可能にする。
【００６２】
図４ｂおよび図４ｃは、ループ領域１０が山形模様の形または円弧の形に配置されている変形実施形態を示している。
【００６３】
図４ｄおよび図４ｅは、ループ領域１０がバンドの幅の一部分に配置されている変形実施形態を示している。図示されている例において、該部分は、幅の半分に相当する。変形例において、異なる分率が提供され、例えばバンドの幅の１／５と４／５との間をカバーする。これらの実施形態は、バンドが患者の肢の周りに巻きつけられる場合において有利であり、巻きつけは、一回りごとに部分的に重なることによって行われる。
【００６４】
費用を減らし、また利用を単純化するために、ループ領域１０および引っ掛け表面２０は、同じ材料および／または同じタイプの織物において作製されることができる。
【００６５】
変形例において、図５で示されているように、固定バンド２は、いったんバンドが適切に設置されると圧迫応力をかけるように提供される、活性部分６を含む。活性部分は変形例において、固定システム３と同じ材料において作製されることができる。この特徴は、効果的な装置をもたらしつつ、製造を単純化し、また費用を減らすために、単一部品製造を行うことを可能にする。固定バンドの固定システム３はまた、圧迫用活性部分６と一体化されて形成されることもでき、このことは、快適かつ効果的な、設計の単純な製品を獲得することを可能にする。
【００６６】
この特徴はさらに、例えば極端な利用において固定システム３を脆くすることがあり得る異なるループ領域１０と引っ掛け表面２０との間のつなぎ目がない、単一部品をもたらすことを可能にする。
【００６７】
バンドの固定力は、動力計を使って測定される。例えば、０％から３０％の３回の疲労サイクルの後、最後のサイクルの際に弾性バンドを３０％伸ばすために必要な力が記録される（ＩＴＦＨ法による）。バンドは、それらの固定力に応じて、例えば２０〜４５ｃＮ／ｃｍ、４６〜１００ｃＮ／ｃｍ、１０１〜１６０ｃＮ／ｃｍ、そして１６０ｃＮ／ｃｍ超のような異なるレベルに分けられることができる。
【００６８】
ループおよびフックを用いた固定システムを利用する製品の第２の例：固定／圧迫補装具
図６ａから図８ｂは、身体圧迫装置２が固定補装具である実施例を概略的に示している。補装具は、円筒形の中心体と、身体の肢への固定をその周りへの巻きつけによって容易にするために提供される側部のタブとを含む。
【００６９】
全ての例において、右側の図は第１の面４を示しており、また左側の図は第２の面５を示している。これらの例の全てにおいて、第１の面４は、ループ領域１０ですっかり覆われている。
【００７０】
第１の例（図６ａ）において、第２の面５は、中心体のところに整備されるループ領域１０と、各側ならびに側部タブ上の引っ掛け表面２０とを含む。
【００７１】
第２の例（図７ａ）において、第２の面５は、中心体のところに整備される自由領域と、各側ならびに側部タブ上の引っ掛け表面２０とを含む。
【００７２】
最後に、最後の例（図８ａ）は、中心体上に分配される複数の引っ掛け領域２０と、各側ならびに側部タブ上の自由表面とを提供している。例えば側部タブをただ１つの側にだけ有する、または側部タブを有しない、補装具の多数の実施変形例が可能である。
【００７３】
図示された補装具例の操作および利用は、補装具がただ一回りだけでの巻きつけを形成するということを除いて、予め記述された固定バンドと類似している。固定バンドについて予め記述されているように、２つの状態をもつ固定システム３は、補装具が十分な締付けレベルを伴って押しあてられることを確かめることを可能にする。不十分な締付けの場合、または締付けのない場合には、固定システムは効果のないままであり、また補装具は固定されることができない。
【符号の説明】
【００７４】
１  織物
２  身体圧迫装置
３  固定システム
４  第１の面
５  第２の面
６  圧迫用活性部分
１０  ループ領域
１１  ループ
２０  引っ掛け表面
２１  フック
【図１ａ】
2021504091.tif 000003
【図１ｂ】
2021504091.tif 000004
【図１ｃ】
2021504091.tif 000005
【図１ｄ】
2021504091.tif 000006
【図２ａ】
2021504091.tif 000007
【図２ｂ】
2021504091.tif 000008
【図３】
2021504091.tif 000009
【図４ａ】
2021504091.tif 000010
【図４ｂ】
2021504091.tif 000011
【図４ｃ】
2021504091.tif 000012
【図４ｄ】
2021504091.tif 000013
【図４ｅ】
2021504091.tif 000014
【図５】
2021504091.tif 000015
【図６ａ】
2021504091.tif 000016
【図６ｂ】
2021504091.tif 000017
【図７ａ】
2021504091.tif 000018
【図７ｂ】
2021504091.tif 000019
【図８ａ】
2021504091.tif 000020
【図８ｂ】
2021504091.tif 000021
【国際調査報告】
2021504091.tif 000022
2021504091.tif 000023
2021504091.tif 000024
2021504091.tif 000025